(57)【要約】【課題】洗車用水性ワックス剤として各種法規制を遵守して使用成分を選別し、諸使用成分を適切に組み合わせてなる特性良好な洗車用水性ワックス剤を提供する。【解決手段】（Ａ）ワックス成分、（Ｂ）カチオン界面活性剤、（Ｃ）α‐オレフィン系溶剤、（Ｄ）カルボン酸エステル系溶剤及び（Ｅ）一般式ＨＯ−Ａ１−ＯＨ（Ａ１：炭素数３以上の分岐していてもよいアルキレン基）及び一般式Ｈ−（ＯＡ２）ｎ−ＯＨ（Ａ２：直鎖炭素数が２以上の分岐していてもよいアルキレン基、ｎ：２以上の整数）の中の少なくとも１種のグリコール系溶剤を含有するものとする。（Ａ）ないし（Ｅ）の各成分の量比は、それぞれ１〜１０質量％、２〜１５質量％、０．５〜１０質量％、１〜１０質量％及び５〜２０質量％とするのが好ましい。【選択図】  なし【特許請求の範囲】
【請求項１】
（Ａ）ワックス成分、（Ｂ）カチオン界面活性剤、（Ｃ）α‐オレフィン系溶剤、（Ｄ）カルボン酸エステル系溶剤及び（Ｅ）一般式
ＨＯ−Ａ１−ＯＨ
（式中、Ａ１は炭素数３以上の分岐していてもよいアルキレン基を示す）
及び一般式
Ｈ−（ＯＡ２）ｎ−ＯＨ
（式中、Ａ２は直鎖炭素数が２以上の分岐していてもよいアルキレン基、ｎは２以上の整数を示す）
で表わされる化合物の中から選ばれた少なくとも１種のグリコール系溶剤を含有することを特徴とする洗車用水性ワックス剤。
【請求項２】
（Ａ）ワックス成分１〜１０質量％、（Ｂ）カチオン界面活性剤２〜１５質量％、（Ｃ）α‐オレフィン系溶剤０．５〜１０質量％、（Ｄ）カルボン酸エステル系溶剤１〜１０質量％及び（Ｅ）一般式
ＨＯ−Ａ１−ＯＨ
（式中、Ａ１は炭素数３以上の分岐していてもよいアルキレン基を示す）
及び一般式
Ｈ−（ＯＡ２）ｎ−ＯＨ
（式中、Ａ２は直鎖炭素数が２以上の分岐していてもよいアルキレン基、ｎは２以上の整数を示す）
で表わされる化合物の中から選ばれた少なくとも１種のグリコール系溶剤５〜２０質量％を含有することを特徴とする洗車用水性ワックス剤。
【請求項３】
ワックス成分がカルナウバワックス及び流動パラフィンの一方又は両方である請求項１又は２記載の洗車用水性ワックス剤。
【請求項４】
カチオン界面活性剤が一般式
【化１】
2004352843.tif 000008
［式中、Ｒ１、Ｒ２は同一であるか或いは互いに異なる炭素数１〜３のアルキル基、Ｒ３は炭素数８〜３０の脂肪族基又は−Ａ３−Ｏ−Ｒ５（ここで、Ａ３は水酸基を有していてもよい、炭素数２〜４のアルキレン基、Ｒ５は炭素数８〜３０の脂肪族基を示す）で表わされる基、Ｒ４は炭素数１〜３のアルキル基又は炭素数８〜３０の脂肪族基、Ｘ−は適当なアニオンを示す］
及び一般式
【化２】
2004352843.tif 000009
［式中、Ａ４は炭素数２〜４のアルキレン基、ＹはＯ又はＮＨ、Ｒ６は炭素数１〜３のアルキル基、Ｒ７は炭素数１〜３のアルキル基又は−（Ａ５−Ｏ）ｍ−Ｈ（ここでＡ５は炭素数２〜４のアルキレン基、ｍは２〜２０の整数を示す）、Ｒ８は炭素数８〜３０の脂肪族基、Ｒ９は炭素数１〜３のアルキル基又は−Ａ４−Ｙ−ＣＯ−Ｒ８（ここでＡ４、Ｙ及びＲ８は前記したと同じ意味を有する）で表わされる基、Ｘ−は適当なアニオンを示す］
の一方又は両方で表わされる脂肪族アンモニウム塩、及び一般式
Ｒ８−ＮＨ３＋Ｘ−
（式中、Ｒ８及びＸ−は前記したと同じ意味を有する）
で表わされる脂肪族アミン塩の中から選ばれた少なくとも１種のものである請求項１、２又は３記載の洗車用水性ワックス剤。
【請求項５】
カチオン界面活性剤がジ高級アルキルジ低級アルキルアンモニウム塩、モノ高級アルキルトリ低級アルキルアンモニウム塩、Ｎ‐〔高級アルコキシ（ヒドロキシ低級アルキル）〕ジ低級アルキルモノ高級アルキルアンモニウム塩、Ｎ，Ｎ‐ジ（高級アルカノイルオキシ低級アルキル）ジ低級アルキルアンモニウム塩、Ｎ，Ｎ‐ジ（高級アルカノイルオキシ低級アルキル）‐Ｎ‐ヒドロキシ低級アルキル‐Ｎ‐低級アルキルアンモニウム塩、Ｎ，Ｎ‐ジ（高級アルカノイルアミノアルキル）‐Ｎ‐ヒドロキシ低級アルキル‐Ｎ‐低級アルキルアンモニウム塩及び高級アルキルアミン塩の中から選ばれた少なくとも１種のものである請求項４記載の洗車用水性ワックス剤。
【請求項６】
α‐オレフィン系溶剤が炭素数１０〜１８のものである請求項１ないし５のいずれかに記載の洗車用水性ワックス剤。
【請求項７】
カルボン酸エステル系溶剤が脂肪族モノカルボン酸エステル及び脂肪族ジカルボン酸エステルの中から選ばれた少なくとも１種のものである請求項１ないし６のいずれかに記載の洗車用水性ワックス剤。
【請求項８】
グリコール系溶剤がプロピレングリコール、ジエチレングリコール、ジプロピレングリコール及びトリエチレングリコールの中から選ばれた少なくとも１種のものである請求項１ないし７のいずれかに記載の洗車用水性ワックス剤。
【請求項９】
（Ａ）カルナウバワックス及び流動パラフィンの一方又は両方からなるワックス成分１〜１０質量％、（Ｂ）ジ高級アルキルジ低級アルキルアンモニウム塩、モノ高級アルキルトリ低級アルキルアンモニウム塩、Ｎ‐〔高級アルコキシ（ヒドロキシ低級アルキル）〕ジ低級アルキルモノ高級アルキルアンモニウム塩、Ｎ，Ｎ‐ジ（高級アルカノイルオキシ低級アルキル）ジ低級アルキルアンモニウム塩、Ｎ，Ｎ‐ジ（高級アルカノイルオキシ低級アルキル）‐Ｎ‐ヒドロキシ低級アルキル‐Ｎ‐低級アルキルアンモニウム塩、Ｎ，Ｎ‐ジ（高級アルカノイルアミノアルキル）‐Ｎ‐ヒドロキシ低級アルキル‐Ｎ‐低級アルキルアンモニウム塩及び高級アルキルアミン塩の中から選ばれた少なくとも１種からなるカチオン界面活性剤２〜１５質量％、（Ｃ）炭素数１０〜１８のα‐オレフィン系溶剤０．５〜１０質量％、（Ｄ）脂肪族モノカルボン酸エステル及び脂肪族ジカルボン酸エステルの中から選ばれた少なくとも１種からなるカルボン酸エステル系溶剤１〜１０質量％及び（Ｅ）プロピレングリコール、ジエチレングリコール、ジプロピレングリコール及びトリエチレングリコールの中から選ばれた少なくとも１種からなるグリコール系溶剤５〜２０質量％を含有することを特徴とする洗車用水性ワックス剤。
【発明の詳細な説明】
【０００１】
【発明の属する技術分野】
本発明は、自動車のボディ等の車体、特にその塗装面に撥水性を付与し、艶出しを施すための洗車用水性ワックスに関するものである。
【０００２】
【従来の技術】
これまで門型洗車機を用いた洗車方法としては、非イオン界面活性剤を主成分としたクリーナーを塗布する第一行程と、陰イオン界面活性剤を主成分としたフォーム剤を、門型洗車機の発泡装置を通して発泡させながら塗布する第二行程と、カチオン界面活性剤を含有した洗車用水性ワックスを塗布する第三行程と、乾燥装置により車体を乾燥させる第四行程とからなるワックス洗車方法が２往復洗車法して最も一般的である。この洗車法で車体にワックスがけを施す際には、通常洗車用水性ワックス組成物を水で希釈し、希釈されたワックスを自動的に所定量吸い上げて車体に吹き付けることによってワックス皮膜を形成させている。
【０００３】
近年、環境問題が大きく取り上げられるようになり、化学物質についても法規制や自主的使用制限の動きが強まっている。この対象とされる化学物質としては、第一に内分泌攪乱物質（環境ホルモン）が、第二に労働安全衛生法による掲示物質が、第三に特定化学物質の環境への排出量の把握及び管理の改善の促進に関する法律（以下ＰＲＴＲ法と略す）による指定物質があり、これらの使用は安全面や手続きの煩雑さのため回避される傾向にある。
【０００４】
そこで、第一行程に使用されるクリーナーには高級アルコールのエトキシレートや、高級アルコールのエチレンオキシドとプロピレンオキシドの付加物を、また、第二行程に使用されるフォーム剤にはアルキル硫酸エステル塩やアルカンスルホン酸塩を採択することで、安全性を高めることができる。しかし、洗車用水性ワックスは多くの原料が規制対象物質とされ、それ以外の原料で調製するのは困難である。
【０００５】
自動車用の洗浄ワックス剤としては、種々のものが知られている。
例えば、第一級アミン、第二級アミン、第三級アミン、第四級アンモニウム塩、脂肪族アミンの酢酸塩及びアミンのエチレンオキシド付加物の中の少なくとも一種のカチオン界面活性剤とノニオン界面活性剤を配合してなる洗浄ツヤ出し剤（特許文献１）、第一級アミン、第二級アミン、第三級アミン、エステル結合アミノイルアミノ結合アミン、エーテル結合アミン、第四級アンモニウム塩等の水溶性カチオン界面活性剤を配合してなる洗浄ツヤ出し剤（特許文献２）、ラウリルトリメチルアンモニウムクロリド、ポリオキシエチレン脂肪族アミン、シール油（パラフィン又はナフテン系炭化水素、エタノール、水からなる門型洗車機用洗車用水性ワックス剤（特許文献３）、固型ワックスを有機溶剤、カチオン界面活性剤（第一級アミン酢酸塩、アルキルトリメチルアンモニウム塩等）等を用いて水に溶解、分散させてなる剤（特許文献４）、２種のアミド化合物でワックス成分を可溶化したものに、石油系溶剤、非イオン界面活性剤、第一級アミン、第二級アミン、第三級アミン、第四級アンモニウム塩等のカチオン界面活性剤を併用してなる門型洗車機用ツヤ出し剤（特許文献５、６）、ワックス成分、カチオン界面活性剤、溶剤としてのアジピン酸ジエステル又はトリメリット酸トリエステル、アルコール系溶剤、エチレングリコールを含む水性濃縮ワックス組成物（特許文献７）、直鎖α‐オレフィン系溶剤系炭化水素、グリコールエーテル類、固形ワックス、ジアルキル第四級アンモニウム塩、ポリオキシエチレン脂肪族アミン、長鎖脂肪族アミン酢酸塩、イソパラフィン系炭化水素の混合物を加温溶解後、熱湯を徐添して固形ワックスを可溶化し、多価アルコールを添加してなる自動洗車機用ワックス組成物（特許文献８）などがある。
【０００６】
しかし、これらのワックス剤は、上記規制対象物質である、洗車用水性ワックスとして従来多用されてきた固形パラフィン、ビス水素化牛脂ジメチルアンモニウム塩に代表されるジ高級アルキルジメチルアンモニウム塩、エチレングリコール、イソプロパノール等を含有していることから、ユーザーから敬遠され、さらには採用中止となるなどの問題を抱えるようになった。
また、組成成分のうちのアミンについては、第一級、第二級、第三級のアミン程度の開示に止まり、また第四級アンモニウム塩についても具体的開示は限られており、これらについても上記規制対象外の安全性に優れたものの採択が強く要望されている。
【０００７】
【特許文献１】
特開昭５０−７７２８９号公報（特許請求の範囲その他）
【特許文献２】
特開昭５１−５９４６５号公報（特許請求の範囲その他）
【特許文献３】
特開昭５６−２５０３３号公報（特許請求の範囲その他）
【特許文献４】
特開昭６３−１１００５４号公報（特許請求の範囲その他）
【特許文献５】
特開平３−２１６７９号公報（特許請求の範囲その他）
【特許文献６】
特開平３−２１６８０号公報（特許請求の範囲その他）
【特許文献７】
特許第３０３５６９１号（特許請求の範囲その他）
【特許文献８】
特開平１１−８０６７３号公報（特許請求の範囲その他）
【０００８】
【発明が解決しようとする課題】
本発明の課題は、このような事情の下、洗車用水性ワックス剤として各種法規制を遵守して使用成分を選別し、諸使用成分を適切に組み合わせてなる特性良好な洗車用水性ワックス剤を提供することにある。
【０００９】
【課題を解決するための手段】
本発明者らは、前記した良好な特性を示す洗車用水性ワックス剤を開発するために鋭意研究を重ねた結果、ワックス成分、カチオン界面活性剤、α‐オレフィン系溶剤及び２種の特定溶剤の配合組成のものが、課題解決に資することを見出し、この知見に基づいて本発明を完成するに至った。
【００１０】
すなわち、本発明は、
（１）（Ａ）ワックス成分、（Ｂ）カチオン界面活性剤、（Ｃ）α‐オレフィン系溶剤、（Ｄ）カルボン酸エステル系溶剤及び（Ｅ）一般式
ＨＯ−Ａ１−ＯＨ
（式中、Ａ１は炭素数３以上の分岐していてもよいアルキレン基を示す）
及び一般式
Ｈ−（ＯＡ２）ｎ−ＯＨ
（式中、Ａ２は直鎖炭素数が２以上の分岐していてもよいアルキレン基、ｎは２以上の整数を示す）
で表わされる化合物の中から選ばれた少なくとも１種のグリコール系溶剤を含有することを特徴とする洗車用水性ワックス剤、
更には、
（２）（Ａ）ワックス成分１〜１０質量％、（Ｂ）カチオン界面活性剤２〜１５質量％、（Ｃ）α‐オレフィン系溶剤０．５〜１０質量％、（Ｄ）カルボン酸エステル系溶剤１〜１０質量％及び（Ｅ）一般式
ＨＯ−Ａ１−ＯＨ
（式中、Ａ１は炭素数３以上の分岐していてもよいアルキレン基を示す）
及び一般式
Ｈ−（ＯＡ２）ｎ−ＯＨ
（式中、Ａ２は直鎖炭素数が２以上の分岐していてもよいアルキレン基、ｎは２以上の整数を示す）
で表わされる化合物の中から選ばれた少なくとも１種のグリコール系溶剤５〜２０質量％を含有することを特徴とする洗車用水性ワックス剤、
を提供するものである。
【００１１】
【発明の実施の形態】
本発明の好ましい態様としては、以下のものが挙げられる。
（３）ワックス成分がカルナウバワックス及び流動パラフィンの一方又は両方である前記（１）又は（２）記載の洗車用水性ワックス剤。
（４）カチオン界面活性剤が一般式
【化３】
2004352843.tif 000002
［式中、Ｒ１、Ｒ２は同一であるか或いは互いに異なる炭素数１〜３のアルキル基、Ｒ３は炭素数８〜３０の脂肪族基又は−Ａ３−Ｏ−Ｒ５（ここで、Ａ３は水酸基を有していてもよい、炭素数２〜４のアルキレン基、Ｒ５は炭素数８〜３０の脂肪族基を示す）で表わされる基、Ｒ４は炭素数１〜３のアルキル基又は炭素数８〜３０の脂肪族基、Ｘ−は適当なアニオンを示す］
及び一般式
【化４】
2004352843.tif 000003
［式中、Ａ４は炭素数２〜４のアルキレン基、ＹはＯ又はＮＨ、Ｒ６は炭素数１〜３のアルキル基、Ｒ７は炭素数１〜３のアルキル基又は−（Ａ５−Ｏ）ｍ−Ｈ（ここでＡ５は炭素数２〜４のアルキレン基、ｍは２〜２０の整数を示す）、Ｒ８は炭素数８〜３０の脂肪族基、Ｒ９は炭素数１〜３のアルキル基又は−Ａ４−Ｙ−ＣＯ−Ｒ８（ここでＡ４、Ｙ及びＲ８は前記したと同じ意味を有する）で表わされる基、Ｘ−は適当なアニオンを示す］
の一方又は両方で表わされる脂肪族アンモニウム塩、及び一般式
Ｒ８−ＮＨ３＋Ｘ−
（式中、Ｒ８及びＸ−は前記したと同じ意味を有する。）
で表わされる脂肪族アミン塩の中から選ばれた少なくとも１種のものである前記（１）、（２）又は（３）記載の洗車用水性ワックス剤。
（５）カチオン界面活性剤がジ高級アルキルジ低級アルキルアンモニウム塩、モノ高級アルキルトリ低級アルキルアンモニウム塩、Ｎ‐〔高級アルコキシ（ヒドロキシ低級アルキル）〕ジ低級アルキルモノ高級アルキルアンモニウム塩、Ｎ，Ｎ‐ジ（高級アルカノイルオキシ低級アルキル）ジ低級アルキルアンモニウム塩、Ｎ，Ｎ‐ジ（高級アルカノイルオキシ低級アルキル）‐Ｎ‐ヒドロキシ低級アルキル‐Ｎ‐低級アルキルアンモニウム塩、Ｎ，Ｎ‐ジ（高級アルカノイルアミノアルキル）‐Ｎ‐ヒドロキシ低級アルキル‐Ｎ‐低級アルキルアンモニウム塩及び高級アルキルアミン塩の中から選ばれた少なくとも１種のものである前記（４）記載の洗車用水性ワックス剤。
（６）α‐オレフィン系溶剤が炭素数１０〜１８のものである前記（１）ないし（５）のいずれかに記載の洗車用水性ワックス剤。
（７）カルボン酸エステル系溶剤が脂肪族モノカルボン酸エステル及び脂肪族ジカルボン酸エステルの中から選ばれた少なくとも１種のものである前記（１）ないし（６）のいずれかに記載の洗車用水性ワックス剤。
（８）グリコール系溶剤がプロピレングリコール、ジエチレングリコール、ジプロピレングリコール及びトリエチレングリコールの中から選ばれた少なくとも１種のものである前記（１）ないし（７）のいずれかに記載の洗車用水性ワックス剤。
（９）（Ａ）カルナウバワックス及び流動パラフィンの一方又は両方からなるワックス成分１〜１０質量％、（Ｂ）ジ高級アルキルジ低級アルキルアンモニウム塩、モノ高級アルキルトリ低級アルキルアンモニウム塩、Ｎ‐〔高級アルコキシ（ヒドロキシ低級アルキル）〕ジ低級アルキルモノ高級アルキルアンモニウム塩、Ｎ，Ｎ‐ジ（高級アルカノイルオキシ低級アルキル）ジ低級アルキルアンモニウム塩、Ｎ，Ｎ‐ジ（高級アルカノイルオキシ低級アルキル）‐Ｎ‐ヒドロキシ低級アルキル‐Ｎ‐低級アルキルアンモニウム塩、Ｎ，Ｎ‐ジ（高級アルカノイルアミノアルキル）‐Ｎ‐ヒドロキシ低級アルキル‐Ｎ‐低級アルキルアンモニウム塩及び高級アルキルアミン塩の中から選ばれた少なくとも１種からなるカチオン界面活性剤２〜１５質量％、（Ｃ）炭素数１０〜１８のα‐オレフィン系溶剤０．５〜１０質量％、（Ｄ）脂肪族モノカルボン酸エステル及び脂肪族ジカルボン酸エステルの中から選ばれた少なくとも１種からなるカルボン酸エステル系溶剤１〜１０質量％及び（Ｅ）プロピレングリコール、ジエチレングリコール、ジプロピレングリコール及びトリエチレングリコールの中から選ばれた少なくとも１種からなるグリコール系溶剤５〜２０質量％を含有することを特徴とする洗車用水性ワックス剤。
これらにおいて、各種基のうち高級のものは炭素数が８以上のものを、また、低級のものは炭素数が３以下のものを意味する。
【００１２】
本発明の洗車用水性ワックス剤において（Ａ）成分として用いられるワックス成分の例としては、カルナウバワックス、流動パラフィン、ライスワックス、ビーズワックスなどが挙げられ、中でもカルナウバワックス及び流動パラフィンの一方又は両方が好ましい。
【００１３】
また、（Ｂ）成分として用いられるカチオン界面活性剤については特に制限されず、例えば四級化アンモニウム塩、アルキレンオキシド付加型の四級化アンモニウム塩、脂肪族アミン塩などが挙げられ、中でも一般式
【化５】
2004352843.tif 000004
［式中、Ｒ１、Ｒ２は同一であるか或いは互いに異なる炭素数１〜３のアルキル基、Ｒ３は炭素数８〜３０の脂肪族基又は−Ａ３−Ｏ−Ｒ５（ここで、Ａ３は水酸基を有していてもよい、炭素数２〜４のアルキレン基、Ｒ５は炭素数８〜３０の脂肪族基を示す）で表わされる基、Ｒ４は炭素数１〜３のアルキル基又は炭素数８〜３０の脂肪族基、Ｘ−は適当なアニオンを示す］
又は一般式
【化６】
2004352843.tif 000005
［式中、Ａ４は炭素数２〜４のアルキレン基、ＹはＯ又はＮＨ、Ｒ６は炭素数１〜３のアルキル基、Ｒ７は炭素数１〜３のアルキル基又は−（Ａ５−Ｏ）ｍ−Ｈ（ここでＡ５は炭素数２〜４のアルキレン基、ｍは２〜２０の整数を示す）、Ｒ８は炭素数８〜３０の脂肪族基、Ｒ９は炭素数１〜３のアルキル基又は−Ａ４−Ｙ−ＣＯ−Ｒ８（ここでＡ４、Ｙ及びＲ８は前記したと同じ意味を有する）で表わされる基、Ｘ−は適当なアニオンを示す］
で表わされる脂肪族アンモニウム塩、又は一般式
Ｒ８−ＮＨ３＋Ｘ− （ＩＩＩ）
（式中、Ｒ８及びＸ−は前記したと同じ意味を有する）
で表わされる脂肪族アミン塩が好ましく挙げられる。これらは１種用いてもよいし、また、２種以上を組み合わせて用いてもよい。
これら一般式中のＸ−としては、例えばハロゲンイオン、酢酸イオン、塩素酸イオン、過塩素酸イオン、ナイトレートイオン、サルフェートイオン、アルキルサルフェートイオン、スルホネートイオン、アルキルスルホネートイオンなど、中でもハロゲンイオン特に塩素イオン、酢酸イオンが挙げられる。
【００１４】
上記一般式（Ｉ）で表わされる脂肪族アンモニウム塩としては、例えばデシルトリメチルアンモニウムクロリド、ドデシルトリメチルアンモニウムクロリド、テトラデシルトリメチルアンモニウムクロリド、ヘキサデシルトリメチルアンモニウムクロリド（セチルトリメチルアンモニウムクロリド）、オクタデシルトリメチルアンモニウムクロリド（ステアリルトリメチルアンモニウムクロリド）、ベヘニルトリメチルアンモニウムクロリドなどのモノ高級アルキルトリ低級アルキルアンモニウム塩や、オレイルトリメチルアンモニウムクロリドなどのモノ高級アルケニルトリメチルアンモニウム塩や、ジドデシルジメチルアンモニウムクロリド、ジテトラデシルジメチルアンモニウムクロリド、ジヘキサデシルジメチルアンモニウムクロリド、ジオクタデシルジメチルアンモニウムクロリド、ジエイコシルジメチルアンモニウムクロリド、ジベヘニルジメチルアンモニウムクロリド、ジテトラコシルジメチルアンモニウムクロリドなどのジ高級アルキルジ低級アルキルアンモニウム塩や、ジオレイルジメチルアンモニウムクロリドなどのジ高級アルケニルジ低級アルキルアンモニウム塩や、Ｎ‐（３‐ドデシルオキシ‐２‐ヒドロキシプロピル）ジメチルオクタデシルアンモニウムクロリド、Ｎ‐（３‐ヘキサデシルオキシ‐２‐ヒドロキシプロピル）モノメチルモノエチルヘキサデシルアンモニウムクロリドのようなＮ‐（３‐高級アルコキシ‐２‐ヒドロキシプロピル）ジ低級アルキルモノ高級アルキルアンモニウム塩などのＮ‐〔高級アルコキシ（ヒドロキシ低級アルキル）〕ジ低級アルキルモノ高級アルキルアンモニウム塩などが挙げられ、上記一般式（ＩＩ）で表わされる脂肪族アンモニウム塩としては、例えばＮ，Ｎ‐ジ（パルミトイルオキシエチル）ジメチルアンモニウムメトサルフェート、Ｎ，Ｎ‐ジ（ステアロイルオキシエチル）ジメチルアンモニウムメトサルフェート等のＮ，Ｎ‐ジ（高級アルカノイルオキシ低級アルキル）ジ低級アルキルアンモニウム塩や、Ｎ，Ｎ‐ジ（パルミトイルオキシエチル）‐Ｎ‐ヒドロキシエチル‐Ｎ‐メチルアンモニウムメトサルフェート、Ｎ，Ｎ‐ジ（ステアロイルオキシエチル）‐Ｎ‐ヒドロキシエチル‐Ｎ‐メチルアンモニウムメトサルフェート等のＮ，Ｎ‐ジ（高級アルカノイルオキシ低級アルキル）‐Ｎ‐ヒドロキシ低級アルキル‐Ｎ‐低級アルキルアンモニウム塩や、Ｎ，Ｎ‐ジ（ドデカノイルアミノエチル）モノメチルエタノールアンモニウムクロリド、Ｎ，Ｎ‐ジ（オクタデカノイルアミノエチル）モノメチルエタノールアンモニウムクロリドなどのＮ，Ｎ‐ジ（高級アルカノイルアミノエチル）‐Ｎ‐ヒドロキシエチル‐Ｎ‐低級アルキルアンモニウム塩等のＮ，Ｎ‐ジ（高級アルカノイルアミノアルキル）‐Ｎ‐ヒドロキシ低級アルキル‐Ｎ‐低級アルキルアンモニウム塩又はそのヒドロキシ低級アルキル基を−（ＣＨ２ＣＨ２−Ｏ）ｍ−Ｈ等の−（Ａ５−Ｏ）ｍ−Ｈ（ここでＡ５及びｍは前記した意味を有する）で表わされる基で置き換えたもの、例えばアルキレンオキシド付加物などが挙げられる。
これらの中でもジ高級アルキルジ低級アルキルアンモニウム塩、モノ高級アルキルトリ低級アルキルアンモニウム塩、Ｎ‐（３‐高級アルコキシ‐２‐ヒドロキシプロピル）ジ低級アルキルモノ高級アルキルアンモニウム塩等のＮ‐〔高級アルコキシ（ヒドロキシ低級アルキル）〕ジ低級アルキルモノ高級アルキルアンモニウム塩、Ｎ，Ｎ‐ジ高級アルカノイルオキシエチル‐Ｎ‐ヒドロキシエチル‐Ｎ‐低級アルキルアンモニウム塩等のＮ，Ｎ‐ジ（高級アルカノイルオキシ低級アルキル）‐Ｎ‐ヒドロキシ低級アルキル‐Ｎ‐低級アルキルアンモニウム塩、Ｎ，Ｎ‐ジ（高級アルカノイルアミノエチル）‐Ｎ‐ヒドロキシエチル‐Ｎ‐低級アルキルアンモニウム塩等のＮ，Ｎ‐ジ（高級アルカノイルアミノアルキル）‐Ｎ‐ヒドロキシ低級アルキル‐Ｎ‐低級アルキルアンモニウム塩などが好ましく、具体的化合物を例示すると、ジラウリルジメチルアンモニウムクロリド、ジドデシルジメチルアンモニウムクロリド、ジヘキサデシルジメチルアンモニウムクロリド、ジオクタデシルジメチルアンモニウムクロリド、ジベヘニルジメチルアンモニウムクロリド、デシルトリメチルアンモニウムクロリド、ドデシルトリメチルアンモニウムクロリド、ヘキサデシルトリメチルアンモニウムクロリド、オクタデシルトリメチルアンモニウムクロリド、Ｎ‐（３‐ドデシルオキシ‐２‐ヒドロキシプロピル）ジメチルオクタデシルアンモニウムクロリド、Ｎ‐（３‐ヘキサデシルオキシ‐２‐ヒドロキシプロピル）モノメチルモノエチルヘキサデシルアンモニウムクロリド、Ｎ，Ｎ‐ジ（パルミトイルオキシエチル）ジメチルアンモニウムメトサルフェート、Ｎ，Ｎ‐ジ（ステアロイルオキシエチル）ジメチルアンモニウムメトサルフェート、Ｎ，Ｎ‐ジ（パルミトイルオキシエチル）‐Ｎ‐ヒドロキシエチル‐Ｎ‐メチルアンモニウムメトサルフェート、Ｎ，Ｎ‐ジ（ステアロイルオキシエチル）‐Ｎ‐ヒドロキシエチル‐Ｎ‐メチルアンモニウムメトサルフェート、Ｎ，Ｎ‐ジ（ドデカノイルアミノエチル）モノメチルエタノールアンモニウムクロリド、Ｎ，Ｎ‐ジ（オクタデカノイルアミノエチル）モノメチルエタノールアンモニウムクロリドなどが挙げられる。
【００１５】
上記一般式（ＩＩＩ）で表わされる脂肪族アミン塩としては、例えばデシルアミン酢酸塩、ドデシルアミン酢酸塩、テトラデシルアミン酢酸塩、ヘキサデシルアミン酢酸塩、オクタデシルアミン酢酸塩、エイコシルアミン酢酸塩などのアルキルアミン酢酸塩や、デシルアミン塩酸塩、ドデシルアミン塩酸塩、テトラデシルアミン塩酸塩、ヘキサデシルアミン塩酸塩、オクタデシルアミン塩酸塩、エイコシルアミン塩酸塩などのアルキルアミン塩酸塩や、オレイルアミン酢酸塩などのアルケニルアミン酢酸塩や、オレイルアミン塩酸塩などのアルケニルアミン塩酸塩等が挙げられる。特にドデシルアミン酢酸塩、ドデシルアミン塩酸塩、オクタデシルアミン酢酸塩、オクタデシルアミン塩酸塩、オクタデシルアミン酢酸塩とへキサデシルアミン酢酸塩の混合物が好ましい。
これらのカチオン界面活性剤は１種用いてもよいし、また２種以上を組み合わせて用いてもよい。
【００１６】
また、（Ｃ）成分として用いられるα‐オレフィン系溶剤は、５０℃、好ましくは常温で有機溶剤として作用するものであれば特に制限されず、このようなものとしては、好ましくは炭素数６〜２４、中でも１０〜１８のもの、例えば１‐ヘキセン、１‐ヘプテン、１‐オクテン、１‐ノネン、１‐デケン、１‐ウンデケン、１‐ドデケン、１‐ヘキサデケン、１‐オクタデケン等が挙げられる。
【００１７】
また、（Ｄ）成分として用いられるカルボン酸エステル系溶剤は、５０℃、好ましくは常温で有機溶剤として作用するカルボン酸エステルであれば特に制限されず、このようなものとしては、例えば脂肪族モノカルボン酸、脂肪族ジカルボン酸、芳香族モノカルボン酸、芳香族ジカルボン酸、芳香族トリカルボン酸又は芳香族テトラカルボン酸のエステルが挙げられ、中でも脂肪族モノカルボン酸エステル及び脂肪族ジカルボン酸エステルの中から選ばれた少なくとも１種のものが好ましい。
【００１８】
このカルボン酸エステル系溶剤のカルボン酸部位に相当する上記各種カルボン酸について説明すると、脂肪族モノカルボン酸としては、好ましくは炭素数８〜２２、中でも８〜１８の飽和酸や不飽和酸、例えばオクタン酸、デカン酸、ラウリン酸、ミリスチン酸、パルミチン酸、ステアリン酸、オレイン酸、リノール酸、リノレン酸、エルカ酸、ベヘニン酸デカン酸、ラウリン酸、ミリスチン酸、パルミチン酸、ステアリン酸、オレイン酸、リノール酸、リノレン酸、２‐エチルヘキセン酸等が、脂肪族ジカルボン酸としては、好ましくは炭素数６〜３０、好ましくは８〜２５のもの、例えばアジピン酸、ピメリン酸、スベリン酸、アゼライン酸、セバシン酸、１‐，９‐ノナメチレンジカルボン酸、１‐，１０‐デカメチレンジカルボン酸、１‐，１１‐ウンデカメチレンジカルボン酸、１‐，１２‐ドデカメチレンジカルボン酸、中でもアゼライン酸、セバシン酸、１‐，９‐ノナメチレンジカルボン酸、１‐，１０‐デカメチレンジカルボン酸等が、芳香族モノカルボン酸としては例えば安息香酸、ｐ‐ｔ‐ブチル安息香酸等が、芳香族ジカルボン酸としてはフタル酸、イソフタル酸、テレフタル酸等が、芳香族トリカルボン酸としてはトリメリット酸等が、芳香族テトラカルボン酸としてはピロメリット酸等がそれぞれ挙げられる。
【００１９】
脂肪族モノカルボン酸エステルの例としては、カプリン酸メチル、ラウリン酸メチル、ミリスチン酸メチル、ミリスチン酸イソプロピル、ミリスチン酸ヘキシルデシル、ミリスチン酸オクチルドデシル、ミリスチン酸ミリスチル、パルミチン酸２‐エチルヘキシル、ステアリン酸メチル、ステアリン酸ブチル、ステアリン酸２‐エチルヘキシル、ステアリン酸イソトリデシル、ステアリン酸ステアリル、オレイン酸メチル、オレイン酸イソブチル、オレイン酸オクチル、オレイン酸２‐エチルヘキシル、オレイン酸デシル、オレイン酸ラウリル、オレイン酸オクチルドデシル、オレイン酸オレイル、オレイン酸オクチルドデシル、エルカ酸オクチルドデシル、ベヘニン酸オクチルドデシル、ベヘニン酸ベヘニン、２‐エチルヘキセン酸セチル、ヤシ油脂肪酸メチル、パーム油脂肪酸メチル等が挙げられる。
【００２０】
脂肪族ジカルボン酸エステルの例としては、アジピン酸モノメチル、アジピン酸ジイソブチル、アジピン酸ジイソデシル、アジピン酸ジオクチル、アジピン酸ジオレイル、セバシン酸モノエチル、セバシン酸ジエチル、ドデカン二酸ジブチル等が挙げられる。
【００２１】
芳香族モノカルボン酸エステルの例としては、安息香酸ブチル、ｐ‐ｔ‐ブチル安息香酸エチル等が挙げられる。
【００２２】
芳香族ジカルボン酸エステルの例としては、フタル酸ジ２‐エチルヘキシル、フタル酸ジノルマルアルキル（各アルキルの炭素数８と１０）、フタル酸ジアルキル（各アルキルの炭素数１０〜１２程度）、フタル酸ジデシル、フタル酸ジトリデシル、フタル酸ジステアリル、テレフタル酸モノメチル等が挙げられる。
【００２３】
芳香族トリカルボン酸エステルの例としては、トリメリット酸ジブチル、トリメリット酸トリ２‐エチルヘキシル、トリメリット酸トリノルマルアルキル（各アルキルの炭素数８と１０）、トリメリット酸トリアルキル（アルキルの炭素数９）、トリメリット酸トリイソデシル、トリメリット酸モノエチル等が挙げられる。
芳香族テトラカルボン酸エステルの例としては、ピロメリット酸テトラエチル、ピロメリット酸テトルメチル、ピロメリット酸１，４‐ジメチル等が挙げられる。
【００２４】
また、（Ｅ）成分として用いられるグリコール系溶剤は、一般式
ＨＯ−Ａ１−ＯＨ
（式中、Ａ１は炭素数３以上の分岐していてもよいアルキレン基を示す）
及び一般式
Ｈ−（ＯＡ２）ｎ−ＯＨ
（式中、Ａ２は直鎖炭素数が２以上の分岐していてもよいアルキレン基、ｎは２以上の整数を示す）
で表わされるグリコールの中から選ばれた少なくとも１種であることが重要である。
【００２５】
このグリコール系溶剤としては、例えばプロピレングリコール、ジエチレングリコール、ジプロピレングリコール、トリエチレングリコール、１，３‐プロパンジオール、１，２‐ブタンジオール、１，３‐ブタンジオール、１，４‐ブタンジオール、２，３‐ブタンジオール、１，５‐ペンタンジオール、２‐メチル‐２，４‐ペンタンジオール（ヘキシレングリコール）、中でもプロピレングリコール、ジエチレングリコール、ジプロピレングリコール及びトリエチレングリコールの中から選ばれた少なくとも１種のものが好ましい。
【００２６】
本発明の水性ワックス剤は、さらに水を含有し、その量は使用目的等に応じ、適宜変動させるのがよい。
【００２７】
本発明の水性ワックス剤には、本発明の目的を損なわない範囲で、必要に応じ、従来水性ワックス剤に通常用いられている添加成分、例えば希釈溶剤、安定化溶剤、凍結防止剤、防腐剤、研磨剤、紫外線吸収剤、色素等の着色剤、上記カチオン界面活性剤以外の界面活性剤等を含有させることができる。
【００２８】
上記カチオン界面活性剤以外の界面活性剤は、該カチオン界面活性剤と同様にワックス成分の乳化又はマイクロエマルション化等のために用いられ、このようなものとしては、例えばエチレンオキシド付加型の四級化アンモニウム塩や、ポリオキシエチレンアルキルエーテル（炭素数１２〜１５のものを除く）、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンアルキルアミン等の非イオン界面活性剤などが挙げられ、中でもポリオキシエチレンアルキルエーテル（炭素数１２〜１５のものを除く）、ポリオキシエチレン脂肪酸エステル、ソルビタン脂肪酸エステル、ポリオキシエチレンソルビタン脂肪酸エステルを組み合わせて用いるのが好ましい。
【００２９】
本発明の水性ワックス剤において、各組成成分の含有割合は、（Ａ）成分のワックス成分については１〜１０質量％、好ましくは２〜８質量％の範囲で選ばれる。この割合が１質量％未満ではその添加効果が十分には発揮されないし、また１０質量％を超えると塗布しにくくなる。
また、（Ｂ）成分のカチオン界面活性剤については、２〜１５質量％、好ましくは３〜１０質量％の範囲で選ばれる。この割合が２質量％未満では前記（Ａ）成分との反応性が低下するし、また１５質量％を超えるとワックス剤の安定性が低下する。
【００３０】
また、（Ｃ）成分のα‐オレフィン系溶剤については、０．５〜１０質量％、好ましくは１〜８質量％の範囲で選ばれる。この割合が０．５質量％未満ではワックス成分が溶解しにくくなるし、また１０質量％を超えると粘度が高くなりすぎてワックス剤として使用しにくくなる。
（Ｄ）成分のカルボン酸エステル系溶剤溶剤については、１〜１０質量％、好ましくは１．５〜８質量％の範囲で選ばれる。この割合が１質量％未満ではワックス成分を十分には溶解しえないし、また１０質量％を超えるとワックス剤の安定性が低下する。
（Ｅ）成分のグリコール系溶剤については、５〜２０質量％、好ましくは７〜１５質量％の範囲で選ばれる。この割合が５質量％未満では凍結点が上がりすぎて（例えば凍結点−５℃以上など）安定性が良好でなくなり、特に冬季にワックス剤としての所期の機能を発揮しにくくなるし、また２０質量％を超えると親水性が高くなりすぎて撥水性が低下するようになる。
【００３１】
本発明の水性ワックス剤は、門型洗車機、スプレー洗車機等の自動塗布装置での車体塗布作業に用いられる。例えば、２往復四行程方式の門型洗車機に用いる際には、第三行程で該ワックス剤をエゼクター等の吸い上げ装置又はポンプにて１０〜２００倍、好ましくは２０〜５０倍に希釈して車体にスプレー塗布するようにする。本発明の水性ワックス剤は、このようにスプレー塗布するだけで車体面に十分付着し、良好な撥水効果を発現し、また、残余の水滴があっても洗車機のブロアーで吹き飛ばせるので拭き取る必要もない。
【００３２】
【発明の効果】
本発明の洗車用水性ワックス剤は、使用成分について各種法規制を遵守したものを選別し、諸使用成分を適切に組み合わせてなるものであるから、ユーザーが安心して使用することができ、環境保全にも資するものである上に、各種特性が良好であって、例えば外観、透明性、流動性、撥水性等に優れ、保存しても粘度上昇、ゲル化、白濁、固形化等のトラブルを生じにくいなどの効果を奏する。
【００３３】
【実施例】
次に、実施例により本発明をさらに詳細に説明するが、本発明はこれらの例によって何ら制限されるものではない。
【００３４】
実施例１〜１１、比較例１〜４
表１に示す配合組成の水性濃縮ワックス剤を調製した。表１において、各成分の配合量比は質量％であり、残部は水である。これらのワックス剤の調製は、水以外の成分を混合し、１００℃に加熱したものに、９０℃に加熱した水を徐々に滴下しつつ撹拌することによって行なった。
【００３５】
実施例及び比較例の各ワックス剤について、粘度を求め、外観を目視観察し、透明性を以下の試験方法により５段階評価基準で判定した。その結果も表１に示す。また、各ワックス剤１リットルを水１９リットルで希釈し、この希釈液３００ｍｌを用いて、門型洗車機により自動車の塗装面のワックス掛けを行ない、目視判定により撥水性を評価した。その結果も表２に併記する。
【００３６】
透明性については、識別板をサンプル容器の反対側におき、その文字の見え方を以下の５段階の評価基準で判定した。
５：文字がはっきり見える。
４：文字がかすんで見える。
３：文字は読めないが、その存在はわかる。
２：褐色を呈して文字が見えない。
１：白濁。
【００３７】
また、撥水性についての評価基準は次のとおりである。
◎：極めて良好
○：良好
△：普通
×：不良
【００３８】
【表１】
2004352843.tif 000006
【００３９】
【表２】
2004352843.tif 000007
【００４０】
これら表中の（Ｂ）カチオン界面活性剤欄中の略号は以下のとおりのものを意味する。
ＤＥＴＭＡＣ：  デシルトリメチルアンモニウムクロリド
ＳＴＭＡＣ：  ステアリルトリメチルアンモニウムクロリド
ＤＤＥＯＨＰＤＭＯＤＥＡＣ：  Ｎ‐（３‐ドデシルオキシ‐２‐ヒドロキシプロピル）ジメチルオクタデシルアンモニウムクロリド
ＤＤＯＡＥＭＯＥＡＣ：  Ｎ，Ｎ‐ジ（ドデカノイルアミノエチル）モノメチルエタノールアンモニウムクロリド
ＤＤＤＥＤＭＡＣ：  ジドデシルジメチルアンモニウムクロリド
ＤＯＬＤＭＡＣ：  ジオレイルジメチルアンモニウムクロリド
ＨＤＥＴＭＡＣ：  ヘキサデシルトリメチルアンモニウムクロリド
ＤＨＤＥＤＭＡＣ：  ジヘキサデシルジメチルアンモニウムクロリド
ＤＯＤＯＡＥＤＭＡＣ：  Ｎ，Ｎ‐ジ（オクタデカノイルアミノエチル）ジメチルアンモニウムクロリド
ＤＰＯＥＤＭＡＭＳ：  Ｎ，Ｎ‐ジ（パルミトイルオキシエチル）ジメチルアンモニウムメトサルフェート
ＤＳＯＥＯＥＭＡＭＳ：  Ｎ，Ｎ‐ジ（ステアロイルオキシエチル）‐Ｎ‐ヒドロキシエチル‐Ｎ‐メチルアンモニウムメトサルフェート
ＢＨＬＤＭＡＣ：  ビス水素化牛脂ジメチルアンモニウムクロリド
ＤＯＤＯＡＥＭＯＥＡＣ：  Ｎ，Ｎ‐ジ（オクタデカノイルアミノエチル）モノメチルエタノールアンモニウムクロリド